(57)【特許請求の範囲】
【請求項１】
トナー像を担持して搬送する像担持体と、
前記像担持体に担持されたトナー像を記録材に転写させる転写部を前記像担持体との間で形成し、前記転写部に記録材を搬送する無端状の転写搬送ベルトと、
前記転写部を通過した記録材上のトナー像を加熱する加熱手段と、
前記加熱手段を通過した記録材を、表裏を反転させた状態で前記転写部へと搬送可能な反転搬送部と、
前記転写搬送ベルトの表面を清掃するクリーニング手段と、を備え、
前記クリーニング手段は、
前記転写搬送ベルトに接触した状態で回転して前記転写搬送ベルトの表面に付着した付着物を吸着するブラシローラと、
前記ブラシローラに接触した状態で回転して前記ブラシローラに吸着された付着物を回収する回収ローラと、
前記回収ローラに当接して前記回収ローラに付着した付着物を掻き取る第１の掻き取り部材と、
前記第１の掻き取り部材に比して弾性係数が大きい材料からなり、前記第１の掻き取り部材よりも前記回収ローラの回転方向における下流位置、かつ前記ブラシローラの接触位置よりも上流位置にて前記回収ローラに当接して前記回収ローラに付着した付着物を掻き取る第２の掻き取り部材と、を有し、
前記回収ローラの軸方向における前記第１の掻き取り部材の長さは、前記回収ローラの長さに比して小さく設定され、
前記第２の掻き取り部材は、前記軸方向において前記回収ローラ以上の長さに設定され、かつ前記回収ローラの全長に亘って当接している、
ことを特徴とする画像形成装置。
【請求項２】
前記第２の掻き取り部材は、前記第１の掻き取り部材に比してヤング率が大きい材料からなる、
請求項１に記載の画像形成装置。
【請求項３】
前記第２の掻き取り部材は、ヤング率１．５ＧＰａ〜７．５ＧＰａの弾性材料からなる、
請求項１又は２に記載の画像形成装置。
【請求項４】
前記第１の掻き取り部材は、エラストマー材料からなり、
前記第２の掻き取り部材は、プラスチック材料からなる、
請求項１ないし３のいずれか１項に記載の画像形成装置。
【請求項５】
前記第２の掻き取り部材は、ポリエチレンテレフタラートのシート材である、
請求項１ないし４のいずれか１項に記載の画像形成装置。
【請求項６】
前記回収ローラは、金属ローラである、
請求項１ないし５のいずれか１項に記載の画像形成装置。
【請求項７】
前記第１の掻き取り部材及び前記第２の掻き取り部材は、それぞれのエッジ部を前記回収ローラの回転方向に逆らう方向に向けた状態で前記回収ローラに当接するブレード状部材であり、
前記回収ローラの前記第２の掻き取り部材との当接部における接線方向に対する前記第２の掻き取り部材の傾斜角度は、前記回収ローラの前記第１の掻き取り部材との当接部における接線方向に対する前記第１の掻き取り部材の傾斜角度に比して大きい、
請求項１ないし６のいずれか１項に記載の画像形成装置。
【請求項８】
前記第２の掻き取り部材の傾斜角度は、３０度以上６０度以下である、
請求項７に記載の画像形成装置。
【請求項９】
前記第２の掻き取り部材の前記回収ローラに対する当接圧は、前記第２の掻き取り部材の幅１０ｍｍ当たり０．４４Ｎ以上１．１７Ｎ以下である、
請求項１ないし８のいずれか１項に記載の画像形成装置。
【請求項１０】
前記第１の掻き取り部材及び前記第２の掻き取り部材は、前記回収ローラの外周方向に沿った圧力分布において、前記回収ローラと前記第２の掻き取り部材との当接部における圧力の最大値が、前記回収ローラと前記第１の掻き取り部材との当接部における圧力の最大値よりも大きくなるように配置されている、
請求項１ないし９のいずれか１項に記載の画像形成装置。
【請求項１１】
前記クリーニング手段を覆うケース部材と、
前記転写搬送ベルトの搬送方向において前記転写部の上流側に配置されると共に、前記転写部を通過する記録材が搬送される空間と前記回収ローラが配置される空間とを隔てるように前記ケース部材から前記転写搬送ベルトへ向けて延設されたシール部材と、を備える、
請求項１乃至１０のいずれか１項に記載の画像形成装置。
【請求項１２】
前記ブラシローラは、円柱状の芯部にブラシ繊維を植設して構成され、
前記シール部材は、前記転写搬送ベルトの幅方向において、前記芯部に前記ブラシ繊維が植設される範囲の両外側に配置されると共に、前記幅方向から視て前記ブラシローラと重なる位置にある、
請求項１１に記載の画像形成装置。
【請求項１３】
前記像担持体の内、第１の記録材に転写されるトナー像が形成される第１領域と、前記第１の記録材の後に前記転写部を通過する第２の記録材に転写されるトナー像が形成される第２領域との間の領域に制御用パッチを形成させると共に、この制御用パッチを前記転写部において前記転写搬送ベルトに転写させる制御手段を備える、
請求項１乃至１２のいずれか１項に記載の画像形成装置。
【発明の詳細な説明】
【技術分野】
【０００１】
本発明は、電子写真方式などを用いてトナー像を記録材に形成する画像形成装置に関する。
【背景技術】
【０００２】
従来、ドラム状の感光体に接触するブラシ部材と、ブラシ部材の下流側で感光体に当接する弾性ブレードと、を有するクリーニング手段を備えた画像形成装置が知られている（特許文献１参照）。この画像形成装置において、感光体の表面に付着したトナーはブラシ部材に吸着されて、ブラシ部材に接触する回収ローラに回収された後、回収ローラに当接するスクレーパ部材によって掻き取られる。また、ブラシ部材をすり抜けて感光体の表面に留まったワックス等のフィルミング物質は、研磨剤を含有する弾性ブレードによって削り落とされる。
【先行技術文献】
【特許文献】
【０００３】
【特許文献１】特開２００７−１３２９９９号公報
【発明の概要】
【発明が解決しようとする課題】
【０００４】
ところで、トナー像を担持して搬送する像担持体と、トナー像を記録材に転写する転写部を像担持体との間に形成する転写搬送ベルトとを備え、両面印刷可能に構成された画像形成装置がある。このような画像形成装置に両面印刷を実行させる場合、転写部において表側の面にトナー像を転写された記録材は、定着ローラ等の加熱手段によって加熱されることでトナーに含まれるワックスが暖められた状態となる。そして、記録材が再び転写部に搬送された際に、表側の面が転写搬送ベルトに接触するため、暖められた状態のワックスが転写搬送ベルトに付着する可能性がある。
【０００５】
このような画像形成装置において、転写搬送ベルトの表面に付着したトナーを吸着するブラシローラと、ブラシローラに吸着されたトナーを回収する回収ローラと、回収ローラに付着したトナーを掻き取るトナー用掻き取り部材と、を設けることが考えられる。この場合、転写搬送ベルトに付着したワックス等のフィルミング物質は、ブラシローラを介して回収ローラに付着する。しかし、フィルミング物質はトナーよりも強固に回収ローラに付着するため、トナー用掻き取り部材によって十分に除去することが難しい。そして、このようなフィルミング物質が回収ローラ及び転写搬送ベルトに蓄積されると、二次転写部における記録材の裏汚れ等の原因となる。
【０００６】
また、ブラシローラに加えて、上記特許文献１に記載の弾性ブレードのように、転写搬送ベルトに当接してフィルミング物質を掻き取る掻き取り部材を設けることが考えられる。しかし、この場合転写搬送ベルトの損耗を防ぐために掻き取り部材の当接圧を抑える必要があり、フィルミング物質を十分に除去することは難しい。
【０００７】
そこで、本発明は、フィルミング物質を効果的に除去させることで長期間に亘って安定的に稼働可能な画像形成装置の提供を目的とする。
【課題を解決するための手段】
【０００８】
本発明に係る画像形成装置は、トナー像を担持して搬送する像担持体と、前記像担持体に担持されたトナー像を記録材に転写させる転写部を前記像担持体との間で形成し、前記転写部に記録材を搬送する無端状の転写搬送ベルトと、前記転写部を通過した記録材上のトナー像を加熱する加熱手段と、前記加熱手段を通過した記録材を、表裏を反転させた状態で前記転写部へと搬送可能な反転搬送部と、前記転写搬送ベルトの表面を清掃するクリーニング手段と、を備え、前記クリーニング手段は、前記転写搬送ベルトに接触した状態で回転して前記転写搬送ベルトの表面に付着した付着物を吸着するブラシローラと、前記ブラシローラに接触した状態で回転して前記ブラシローラに吸着された付着物を回収する回収ローラと、前記回収ローラに当接して前記回収ローラに付着した付着物を掻き取る第１の掻き取り部材と、前記第１の掻き取り部材に比して弾性係数が大きい材料からなり、前記第１の掻き取り部材よりも前記回収ローラの回転方向における下流位置、かつ前記ブラシローラの接触位置よりも上流位置にて前記回収ローラに当接して前記回収ローラに付着した付着物を掻き取る第２の掻き取り部材と、を有し、前記回収ローラの軸方向における前記第１の掻き取り部材の長さは、前記回収ローラの長さに比して小さく設定され、前記第２の掻き取り部材は、前記軸方向において前記回収ローラ以上の長さに設定され、かつ前記回収ローラの全長に亘って当接している、ことを特徴とする。
【発明の効果】
【０００９】
本発明に係る画像形成装置によれば、フィルミング物質を効果的に除去させることで長期間に亘って安定的に稼働させることができる。
【図面の簡単な説明】
【００１０】
【図１】本発明の実施形態に係る画像形成装置の概略構成図。
【図２】画像形成装置の二次転写ベルト及びクリーニング装置を示す断面図。
【図３】クリーニング装置の要部を示す模式図。
【図４】比較例のクリーニング装置を示す断面図。
【図５】比較例のクリーニング装置の要部を示す模式図。
【図６】比較例のクリーニング装置において、フィルミング物質が蓄積された状態を示す模式図。
【図７】ゴムブレード及びスクレーパのクリーニング性能の違いと、トナー及びフィルミング物質の性質の違いを説明するための略図。
【図８】スクレーパの当接圧及び設定角の検討結果を示す散布図。
【図９】スクレーパの厚みと侵入量との関係を示すグラフ。
【図１０】比較例のクリーニング装置における幅方向の位置関係を示す模式図。
【図１１】本実施形態における幅方向の位置関係を示す模式図。
【発明を実施するための形態】
【００１１】
以下、図面を参照しながら本発明の実施形態に係る画像形成装置について説明する。なお、画像形成装置の一例としてカラープリンタの構成を図示しながら説明するが、他の画像形成装置（モノクロプリンタ、複合機、各種印刷機、ＦＡＸ等）にも同様に適用可能である。なお、以下の説明において、画像形成装置を正面から視た視点（図１の視点）を基準に、上下左右の方向を表すものとする。
【００１２】
［画像形成装置］
第１の実施形態に係る画像形成装置１００は、図１に示すように、イエロー（Ｐａ）・マゼンタ（Ｐｂ）・シアン（Ｐｃ）・ブラック（Ｐｄ）の４色のトナー像を形成する画像形成手段としての画像形成部Ｐａ，Ｐｂ，Ｐｃ，Ｐｄを備えている。画像形成装置１００は、これらの画像形成部Ｐａ，Ｐｂ，Ｐｃ，Ｐｄが中間転写ベルト７に沿って配置された、所謂タンデム型中間転写方式のフルカラープリンタである。画像形成装置１００は、４つの画像形成部及び中間転写ベルト７に加えて、給送ユニット１２、搬送ユニット１１、レジストユニット１３、二次転写ユニット１７、定着ユニット１５、及び反転搬送ユニット１９等を備えている。
【００１３】
給送ユニット１２のトレイに積載された記録材Ｐ（例えば用紙、ＯＨＰシートなど）は、トレイのリフタ板によって所定の給送位置（高さ）に保持され、エア搬送方式を採用した給送分離ユニットによって１枚ずつ分離された状態で搬送ユニット１１に給送される。記録材Ｐは搬送ユニット１１によって装置本体の内部を搬送され、レジストユニット１３において斜行補正及びタイミング調整を含むレジスト調整を行われる。そして、後述する画像形成プロセスによって形成された後、中間転写ベルト７に一次転写されたトナー像の搬送と同期して二次転写部Ｔ２に搬送される。
【００１４】
二次転写部Ｔ２（転写部）は、二次転写内ローラ２３に巻き掛けられた中間転写ベルト７と、後述する二次転写ユニット１７の二次転写ベルト１７６との間のニップ部として形成されている。中間転写ベルト７と共に二次転写部Ｔ２に挟持された記録材Ｐには、二次転写内ローラ２３に印加されたバイアス電圧によって、中間転写ベルト７に担持されたトナー像が転写される。
【００１５】
トナー像を転写された記録材Ｐは、定着前搬送ユニット１４によって定着ユニット１５へと搬送される。定着ユニット１５は、記録材Ｐを挟持して加圧可能な定着ローラ１５ａ及び加圧ローラ１５ｂと、記録材Ｐに転写された記録材上のトナー像を加熱する加熱手段としての電熱線１５ｃとを有している。記録材Ｐが定着ローラ１５ａ及び加圧ローラ１５ｂに挟持された状態で加熱及び加圧されると、記録材Ｐにトナーが溶融固着した定着画像が得られる。
【００１６】
定着ユニット１５を通過した記録材Ｐは、裏面印刷を行う場合には、反転搬送ユニット１９（反転搬送部）に送り込まれる。反転搬送ユニット１９は、記録材Ｐをスイッチバックさせて表裏の位置関係を反転させるスイッチバックローラ２５と、表裏を反転された状態の記録材Ｐを二次転写部Ｔ２へ向けて搬送可能な反転搬送パス２６と、を有している。反転搬送パス２６を通過した記録材Ｐは、レジストユニット１３によってレジスト調整されたあと、裏面が中間転写ベルト７に対向する状態で二次転写部Ｔ２に再度進入する。二次転写部Ｔ２において裏面にトナー像を転写された記録材Ｐは、定着前搬送ユニット１４を介して定着ユニット１５に搬送され、裏面側のトナー像を定着される。裏面印刷が完了した場合、及び片面印刷の場合は、定着ユニット１５を通過した記録材Ｐは、排出ユニットに搬送されて装置本体の外部に露出する排出トレイ１６に排出される。
【００１７】
［画像形成部］
次に、イエローの画像形成部Ｐａを例にして、画像形成部の構成およびトナー像形成過程について、図１を用いて説明する。他の画像形成部Ｐｂ，Ｐｃ，Ｐｄについては、トナー色を除いて同様に構成されているため、説明を省略する。画像形成部Ｐａは、中間転写ベルト７の搬送方向（矢印Ｒ１）に沿う方向に回転する感光ドラム１と、感光ドラム１の回転方向に沿って配置された帯電器２、露光装置３、現像装置４、一次転写ローラ９、及びドラムクリーニング装置６等を有している。
【００１８】
感光ドラム１は、アルミニウムシリンダの外周面に負極性の帯電極性を有する感光層が形成された感光体であり、中間転写ベルト７の搬送速度に合わせたプロセススピードで回転駆動される。帯電器２はコロナ放電式の帯電器であり、感光ドラム１の表面を一様な負極性の暗部電位ＶＤに帯電させる。露光装置３は、画像信号に合わせて発光制御される発光部と、発光部から照射されたレーザ光を感光ドラム１に導いて走査する回転ミラーとを有し、感光ドラム１の表面電荷を除電して静電像を描き込む。
【００１９】
現像装置４は、表面にトナーを担持して回転する現像スリーブを有し、現像スリーブから感光ドラム１にトナーを供給することで、感光ドラム１の静電潜像をトナー像として顕像化（現像）する。一次転写ローラ９は、中間転写ベルト７を挟んで感光ドラム１に圧接配置され、感光ドラム１と中間転写ベルト７との間に一次転写部Ｔ１を形成する。一次転写ローラ９は不図示の高圧出力基板に接続されて正極性の直流電圧（一次転写バイアス電圧）を印加されている。感光ドラム１に担持されたトナー像は、一次転写バイアス電圧に付勢されて中間転写ベルト７へと一次転写される。中間転写ベルト７に転写されずに感光ドラム１に残留した残留トナー等は、ドラムクリーニング装置６によって回収される。このようなトナー像の形成プロセスは、他の画像形成部Ｐｂ，Ｐｃ，Ｐｄにおいても並行して進められる。
【００２０】
中間転写体としての中間転写ベルト７は、水平方向に配置された４つの画像形成部Ｐａ，Ｐｂ，Ｐｃ，Ｐｄの一次転写部Ｔ１を貫通するように配置された無端状のベルトである。この中間転写ベルト７は、一次転写ローラ９と、駆動ローラ８と、テンションローラ２０と、張架ローラ２２と、二次転写内ローラ２３とに巻き掛けられており、不図示の駆動装置に駆動される駆動ローラ８によって所定の搬送方向（矢印Ｒ１）に搬送される。上述したように画像形成部Ｐａ，Ｐｂ，Ｐｃ，Ｐｄにおいて形成された４色のトナー像は、最初に転写されるイエローのトナー像に重ね合わせるようにして中間転写ベルト７に転写されることでフルカラーのトナー像が形成される。中間転写ベルト７は、トナー像を担持して二次転写部Ｔ２へ向けて搬送可能な像担持体の一例である。
【００２１】
テンションローラ２０は、中間転写ベルト７を外周側へ押圧する方向にスライド移動可能に設けられ、両端部に連結された加圧バネ２１に付勢されて中間転写ベルト７に適度な張力を与える。二次転写内ローラ２３は、後述する二次転写ユニット１７の二次転写外ローラ１７２に対向配置されている。二次転写部Ｔ２の下流には、二次転写部Ｔ２を通過して中間転写ベルト７の表面に残留したトナー等を回収する中間転写クリーニング装置１０が配置されている。この中間転写クリーニング装置１０は、後述する二次転写ベルト１７６を清掃するクリーニング装置１８と同様に構成されている。すなわち、中間転写クリーニング装置１８は、ファーブラシ１０１と、バイアスローラ１０２と、ゴムブレード及びスクレーパを含む掻き取り部材１０３と、を有している。
【００２２】
ところで、４つの画像形成部の内、最も下流側の画像形成部Ｐｄの下流側（図１右方側）には、光学式のセンサユニット２８が配置されている。センサユニット２８は、中間転写ベルト７の表面に対向する受光部２９を有し、中間転写ベルト７の表面に形成された制御用パッチのトナー濃度を赤外線の反射量によって計測している。中間転写ベルト７の受光部２９に対向する部分は、張架ローラ２２によって支持されている。
【００２３】
各画像形成部Ｐａ，Ｐｂ，Ｐｃ，Ｐｄは、装置本体に設けられる制御装置５０からの制御信号に基づいて、トナー像の形成プロセスに並行して中間転写ベルト７に制御用パッチを形成する。この制御用パッチは、二次転写部Ｔ２において記録材Ｐに転写されるトナー像同士の間の領域に形成される。言い換えると、制御用パッチは、先行する第１の記録材Ｐに転写されるトナー像が形成される領域（第１領域）と、第１の記録材Ｐの後に連続して二次転写部Ｔ２を通過する第２の記録材Ｐに転写されるトナー像が形成される領域（第２領域）との間に形成される。センサユニット２８は、トナー色毎の制御用パッチの濃度を計測し、制御装置５０に対するフィードバック信号を送信する。制御装置５０は、このフィードバック信号に基づいて、例えば、露光装置３が照射するレーザ光の光量調整、現像バイアス電圧の設定、及び現像装置４に対するトナーの補給量の調整等を行う。後述するように、制御装置５０は、二次転写部Ｔ２において制御用パッチを二次転写ベルト１７６に転写させている。
【００２４】
［二次転写ユニット］
次に、中間転写ベルト７及び二次転写内ローラ２３と共に二次転写部Ｔ２を形成する二次転写ユニット１７について説明する。二次転写ユニット１７は、図２に示すように、無端状の転写搬送ベルトである二次転写ベルト１７６が、駆動ローラ１７１、二次転写外ローラ１７２、分離ローラ１７３、及びテンションローラ１７４に巻き掛けられて構成されている。これら駆動ローラ１７１、二次転写外ローラ１７２、分離ローラ１７３、及びテンションローラ１７４は、二次転写内ローラ２３と平行に配置されると共に、軸方向の両端部をケース１９２（ケース部材）によって回転自在に支持されている。ケース１９２は画像形成装置１００の本体に着脱自在に装着されており、二次転写ユニット１７は、後述するクリーニング装置１８と共にケース１９２の内側に収められている。
【００２５】
二次転写外ローラ１７２は、二次転写内ローラ２３の下方側に配置され、二次転写内ローラ２３との間に形成されるニップ部に中間転写ベルト７及び二次転写ベルト１７６を挟持している。二次転写ベルト１７６は、不図示の駆動モータに接続された駆動ローラ１７１によって、中間転写ベルト７搬送方向に沿う方向（矢印Ｒ２）に搬送されている。
【００２６】
二次転写外ローラ１７２が接地される一方で、二次転写内ローラ２３は高圧出力基板に接続されて負極性の二次転写バイアス電圧を印加されている。中間転写ベルト７に担持されたトナー像及び制御用パッチのトナー粒子は負に帯電しているため、二次転写部Ｔ２にはトナー像及び制御用パッチが中間転写ベルト７から二次転写ベルト１７６に向かう静電バイアスが形成されている。すなわち、中間転写ベルト７と二次転写ベルト１７６との間のニップ部（転写ニップ）として形成された二次転写部Ｔ２は、記録材Ｐを挟持して搬送すると共に、中間転写ベルト７に担持されたトナー像を記録材に転写させる。また、制御用パッチは連続する記録材Ｐの間で二次転写部Ｔ２を通過する（図２参照）ため、制御用パッチは二次転写部Ｔ２において二次転写ベルト１７６に転写される。この制御用パッチのトナーは、後述するようにクリーニング装置１８によって二次転写ベルト１７６の表面から除去される。
【００２７】
二次転写ベルト１７６は、二次転写部Ｔ２を通過する記録材Ｐの搬送路に面する上面部において左方へ搬送され、クリーニング装置１８に面する下面部において右方に搬送されている。二次転写ベルト１７６の搬送速度は、二次転写部Ｔ２において中間転写ベルト７とほぼ同速度となるように制御されている。テンションローラ１７４は、弾性部材であるテンションバネ１７５に付勢されて二次転写ベルト１７６を押圧し、二次転写ベルト１７６の張力を一定に保っている。二次転写外ローラ１７２に対して二次転写ベルト１７６の搬送方向下流側に配置される分離ローラ１７３は、曲率によって記録材Ｐを二次転写ベルト１７６から分離しうるように構成され、記録材Ｐを定着前搬送ユニット１４に受け渡す。
【００２８】
なお、二次転写部Ｔ２に挟持された記録材Ｐにトナー像が二次転写されると、トナー像の電荷によって記録材Ｐ及び二次転写ベルト１７６が誘電分極する。すると、記録材Ｐは二次転写ベルト１７６に静電吸着された状態となるため、二次転写ベルト１７６は安定的に記録材を搬送することができる。
【００２９】
［クリーニング装置］
次に、二次転写ベルト１７６に付着したトナー等の付着物を除去するクリーニング手段のとしてのクリーニング装置１８について説明する。このような付着物には、制御用パッチ等のトナー粒子や、後述するフィルミング物質等が含まれる。また、制御用パッチ以外のトナーとしては、例えば記録材Ｐのジャムによって中間転写ベルト７のトナー像が記録材Ｐに転写されない場合に、二次転写部Ｔ２において二次転写ベルト１７６に転写されるトナー像が挙げられる。
【００３０】
クリーニング装置１８は、図２に示すように、ファーブラシ１８１によって二次転写ベルト１７６の表面を清掃する静電ファーブラシクリーニング方式のクリーニング装置である。このクリーニング装置１８は、ファーブラシ１８１と、対向ローラ１８４と、バイアスローラ１８２と、クリーニングブレード１８３と、スクレーパ１８５と、搬送スクリュ１８８とを有している。このクリーニング装置１８は、二次転写ユニット１７と共にケース１９２に覆われている。ケース１９２は、中間転写ベルト７の幅方向（装置本体の前後方向）に沿って長く、かつ上方に開放して形成され、記録材Ｐの搬送路に対して下方に位置する。
【００３１】
二次転写ベルト１７６の表面に付着したトナーを吸着するファーブラシ１８１（ブラシローラ）は、図３に示すように、二次転写ベルト１７６の外周面に接触している。ファーブラシ１８１は、二次転写ベルト１７６を挟んで配置された対向ローラ１８４との間に二次転写ベルト１７６を挟み込んでいる。ファーブラシ１８１に吸着されたトナーを回収する回収ローラの一例であるバイアスローラ１８２は、ファーブラシ１８１の右方に配置されてファーブラシ１８１に接触している。ファーブラシ１８１は、金属材料からなる芯部１８１ａ（芯金）の表面に導電性のブラシ繊維１８１ｂを植設して構成され、二次転写ベルト１７６及びバイアスローラ１８２に対してそれぞれ所定の侵入深さで接触するように配置されている。ただし、侵入深さとは、非接触状態のファーブラシ１８１の最大半径と、接触状態のファーブラシ１８１の軸中心から接触面までの距離との差である。
【００３２】
ファーブラシ１８１及びバイアスローラ１８２は、装置本体に設けられた高圧出力基板のバイアス印加電源１９０にそれぞれ接続されてトナーの帯電極性と反対極性（正極性）のバイアス電圧を印加されている。このバイアス電圧の値は、ファーブラシ１８１に比してバイアスローラ１８２の電位が高くなるように設定されている。なお、対向ローラ１８４は、電気的に接地されて接地電位に保たれている。
【００３３】
バイアスローラ１８２は、金属材料によって円柱状に形成された金属ローラであり、軸中心をファーブラシ１８１と平行かつ二次転写ベルト１７６の幅方向に向けて配置されている。ただし、金属ローラとは、金属材料の表面に樹脂材料等のコーティングを施したものを含んでいる。ファーブラシ１８１、バイアスローラ１８２、及び対向ローラ１８４は、軸方向の端部においてケース１９２に回転自在に支持されている。ファーブラシ１８１は、不図示の駆動装置によって二次転写ベルト１７６の搬送方向（矢印Ｒ２）に対向する方向に回転駆動され、バイアスローラ１８２はファーブラシ１８１に連れ回る方向に回転駆動されている。
【００３４】
クリーニング装置１８には、バイアスローラ１８２に付着した付着物を掻き取る掻き取り部材として、クリーニングブレード１８３（第１の掻き取り部材）及びスクレーパ１８５（第２の掻き取り部材）が設けられている。クリーニングブレード１８３及びスクレーパ１８５は、それぞれのエッジ部１８３ａ，１８５ａ（端部）をバイアスローラ１８２の回転方向に逆らう方向に向けた状態でバイアスローラ１８２に当接するブレード状部材（板状部材）である。スクレーパ１８５は、バイアスローラ１８２の回転方向においてクリーニングブレード１８３よりも下流位置、かつファーブラシ１８１の接触位置よりも上流位置にて、バイアスローラ１８２に当接している。
【００３５】
クリーニングブレード１８３及びスクレーパ１８５の下方に配置される搬送スクリュ１８８は、図２に示すように、ケース１９２の底部に形成された搬送溝１８９の内部に収められている。搬送スクリュ１８８は、ファーブラシ１８１及びバイアスローラ１８２と平行に配置され、軸方向の端部をケース１９２に回転自在に支持されている。搬送溝１８９の後部には、不図示の廃トナー容器に接続された開口部が形成されている。搬送スクリュ１８８は、不図示の駆動モータによって駆動されて回転することで、搬送溝１８９に落下した廃トナー等の付着物を後方へと搬送して廃トナー容器に排出する。
【００３６】
図２に示すように、クリーニング装置１８が配置される二次転写ベルト１７６の下面側の空間と、記録材Ｐが搬送される二次転写ベルト１７６の上面側の空間とは、ケース１９２から延設されたシール部材１９２ａによって離隔されている。このシール部材は、二次転写ベルト１７６の搬送方向において二次転写部Ｔ２の上流側に配置され、ケース１９２の内壁面から二次転写ベルト１７６へ向けて延設されている。このシール部材１９２ａの先端部は、トナー等の飛散を防ぎ得るように設定された所定の間隙をあけて二次転写ベルト１７６に近接している。
【００３７】
なお、本実施形態においてはファーブラシ１８１が二次転写ベルト１７６の下面側かつ左右方向中央付近に配置されているが、例えばファーブラシを二次転写ベルト１７６の駆動ローラ１７１に対向する位置に配置してもよい（図２参照）。この場合、シール部材１９２ａの幅方向中央部分を切欠いて、ファーブラシ１８１のブラシ繊維が植設される範囲の両外側に配置すると共に、二次転写ベルト１７６の幅方向から視てファーブラシ１８１と重なる位置とすることが好ましい。これにより、例えば２本のファーブラシを上流側と下流側とに配置したクリーニング装置において、シール部材１９２ａは下流側ファーブラシの軸方向の端部を通過してトナー等が飛散することを防ぐサイドシールとして機能する。
【００３８】
［比較例］
次に、本実施形態に対する比較例としてのクリーニング装置１８Ａと、このクリーニング装置１８Ａを用いた場合に起こりうる現象について説明する。このクリーニング装置１８Ａは、図４に示すように、バイアスローラ１８２に当接するスクレーパを設けられていない点で上述したクリーニング装置１８と異なっている。クリーニング装置１８Ａのその他の構成は、上述したクリーニング装置１８と同様であるため、共通する部材には同符号を付して説明を省略する。
【００３９】
クリーニング装置１８Ａは、図５に示すように、二次転写ベルト１７６に接触するファーブラシ１８１と、ファーブラシ１８１に接触するバイアスローラ１８２と、バイアスローラ１８２に当接するクリーニングブレード１８３とを有している。二次転写ベルト１７６に付着したトナーは、ファーブラシ１８１に吸着された後、バイアスローラ１８２に回収される。バイアスローラ１８２に回収されたトナーは、クリーニングブレード１８３によって掻き落とされ、搬送スクリュ１８８によって廃トナー容器へ向けて搬送される。
【００４０】
ここで、二次転写ベルト１７６の表面に付着する付着物には、トナー以外にワックスやタルク等のフィルミング物質が含まれている。フィルミング物質とは、二次転写ベルト１７６やバイアスローラ１８２の表面に層状に付着しうる（フィルミングする）物質の総称である。具体的には、記録材Ｐとして用いられる紙の填料、及びトナーの外添剤（例えばタルク、ワックス）が挙げられる。フィルミング物質の内、タルクや紙の填料は、トナー粒子に比して粒子径が小さい（１／２０〜１／３程度）ものを含むため、クリーニングブレード１８３によって十分に掻き取ることが難しい。また、ワックス等の粘着性を有するフィルミング物質は、バイアスローラ１８２への付着力が強いため、一般的なクリーニングブレードの当接圧では除去することが難しい。
【００４１】
二次転写ベルト１７６の表面に付着したフィルミング物質の一部はファーブラシ１８１に付着し、さらにバイアスローラ１８２に付着する。比較例のクリーニング装置１８Ａにおいては、上述したようにバイアスローラ１８２に付着したフィルミング物質が十分に除去されないため、バイアスローラ１８２の表面に徐々に堆積する。
【００４２】
フィルミング物質の付着量が増加すると、図６に示すように、バイアスローラ１８２の表面にフィルミング物質が層状に付着した状態となる。この状態で、バイアスローラ１８２が回転を続けると、クリーニングブレード１８３のエッジ部１８３ａに固着の起点となるフィルミング物質の塊が形成される。そして、この塊にバイアスローラ１８２に連れ回るフィルミング物質が次々に衝突することで、フィルミング物質の塊が成長する。
【００４３】
このようなフィルミング物質の塊が成長し始めると、クリーニングブレード１８３とバイアスローラ１８２との当接部やエッジ部１８３ａに固着して、クリーニングブレード１８３の歪み量が大きくなる。すると、バイアスローラ１８２に付着したトナーの一部がクリーニングブレード１８３をすり抜け易くなる。このようなすり抜けによって、バイアスローラ１８２に付着したトナーの一部がファーブラシ１８１を介して二次転写ベルト１７６に転移し、二次転写部Ｔ２において記録材Ｐの裏汚れ等の問題を引き起こし得る。また、トナーだけではなく、フィルミング物質も除去されずに二次転写ベルト１７６の表面に蓄積されるため、記録材Ｐの裏汚れや搬送不良の原因となり得る。
【００４４】
［スクレーパ及びクリーニングブレードの詳細構成］
そこで、本実施形態に係るクリーニング装置１８には、トナーを除去するクリーニングブレード１８３に加えて、フィルミング物質を除去可能なスクレーパ１８５を設けることで上述した問題を解決している。以下、スクレーパ１８５及びクリーニングブレード１８３について詳しく説明する。
【００４５】
まず、図７を用いてゴムブレードとスクレーパの特性の違いについて説明する。図７は、被クリーニング部材に付着した付着物を掻き取る掻き取り部材として、ゴム材料からなるゴムブレード又はプラスチック材料からなるスクレーパを用いた場合に、付着物を除去可能な付着力の範囲と付着量の範囲とを示す略図である。
【００４６】
ゴムブレードはトナーのように付着力の小さな付着物を大量に掻き落とすことができるが、付着力が大きくなるにつれて除去能力は大きく低下する。これは、ゴムブレードは弾性係数が低く、比較的広い接触面積で被クリーニング部材と接触するため、大量の付着物がある場合でも付着物がすり抜けにくいためである。その一方で、接触面における当接圧の最大値（ピーク圧）は比較的小さいため、フィルミング物質のように付着力の大きな付着物を除去する能力は小さい。
【００４７】
一方で、スクレーパはトナーのような大量の付着物を処理することはできないが、フィルミング物質を含む付着力の強い付着物を除去することができる。これは、スクレーパの弾性係数がゴムブレードに比して高く、比較的狭い接触面積で被クリーニング部材に接触する結果、接触面におけるピーク圧がゴムブレードに比して高くなるためである。その一方で、接触面積が小さいことから、例えばエッジ部の振動等によって生じる微小な隙間を付着物がすり抜けてしまうため、大量の付着物を処理する用途には適さない。
【００４８】
このような特性を考慮して、本実施形態において、スクレーパ１８５はクリーニングブレード１８３に比して弾性係数が大きい（剛性が高い）材料を用いて構成されている。このスクレーパ１８５は、バイアスローラ１８２との当接部におけるピーク圧が、クリーニングブレード１８３とバイアスローラ１８２との当接部におけるピーク圧よりも大きくなるように、材質、設定角（傾斜角度）、当接圧等を設定されている。ただし、ピーク圧とは、バイアスローラ１８２の外周方向に沿った圧力分布において、バイアスローラ１８２とスクレーパ１８５又はクリーニングブレード１８３との当接部における圧力の最大値のことである。
【００４９】
スクレーパ１８５は、弾性係数の一つであるヤング率がクリーニングブレード１８３に比して大きな弾性材料を用いている。このような材料としては、ヤング率１．５〜７．５ＧＰａ程度の樹脂シートを用いることができる。一方、クリーニングブレード１８３は、ウレタンゴム等のゴム材料を用いることができる。言い換えると、クリーニングブレード１８３をエラストマー材料で構成し、スクレーパ１８５をプラスチック材料で構成することができる。なお、ヤング率以外の弾性係数（例えば曲げ弾性係数）を指標としてスクレーパ１８５の材料を決めてもよい。また、スクレーパ１８５はクリーニングブレード１８３よりも弾性係数が大きなものであればよく、例えば金属薄板を用いてもよい。
【００５０】
スクレーパ１８５のバイアスローラ１８２の設定角α（傾斜角度）は、図３に示すように、クリーニングブレード１８３の設定角β（傾斜角度）に比して大きく設定されている。ただし、設定角αは、スクレーパ１８５との当接部におけるバイアスローラ１８２の接線方向に対して、スクレーパ１８５がなす角を表している。また、設定角βは、クリーニングブレード１８３との当接部におけるバイアスローラ１８２の接線方向に対して、クリーニングブレード１８３がなす角を表している。後述するように、スクレーパ１８５の設定角αは、所定の範囲内であることが好ましい。
【００５１】
また、スクレーパ１８５及びクリーニングブレード１８３は、バイアスローラ１８２に対する総圧が所定の値となるように決定された侵入量の下で、不図示の支持部材によって位置決めして支持されている。ただし、総圧とは、スクレーパ１８５又はクリーニングブレード１８３のバイアスローラ１８２に対する当接圧を、エッジ部１８３ａ，１８５ａとバイアスローラ１８２との接触面積に亘って積分したものである。また、侵入量とは、エッジ部１８３ａ，１８５ａがバイアスローラ１８２に押圧されて径方向外側に弾性変形した幅のことである。
【００５２】
すなわち、スクレーパ１８５は、クリーニングブレード１８３と比べた場合、硬い（弾性係数の大きい）材料からなり、大きな設定角でバイアスローラ１８２に当接するように設定されている。このため、スクレーパ１８５のバイアスローラ１８２に対する接触面積が比較的狭く、ピーク圧が大きな値をとるのに対し、クリーニングブレード１８３接触面積は比較的大きく、ピーク値は小さな値となる。
【００５３】
本実施形態に係る実施例として、スクレーパ１８５には厚み５００μｍのＰＥＴ（ポリエチレンテレフタラート；ヤング率４．５ＧＰａ）のシート材を用いている。また、クリーニングブレード１８３にはヤング率８ＭＰａのウレタンゴムをブレード状に成形したものを用いている。また、後述する検討結果を考慮して、スクレーパ１８５の設定角α＝４７°に設定すると共に、総圧が１５Ｎ〜４０Ｎ（１５００ｇｆ〜４０００ｇｆ）となるように、侵入量を２．１ｍｍに設定している。この総圧の値は、スクレーパ１８５のエッジ部の幅１０ｍｍ当たりの当接圧に換算すると、概ね０．４４Ｎ以上１．１７Ｎ以下の範囲である。一方、クリーニングブレード１８３の設定角β＝２０°であり、総圧１０Ｎ（１０００ｇｆ）となるように侵入量を１ｍｍに設定されている。ただし、この総圧は、クリーニングブレード１８３のエッジ部の幅１０ｍｍ当たりの当接圧に換算すると、概ね０．３０Ｎである。
【００５４】
［スクレーパの当接条件の検討］
次に、スクレーパ１８５をバイアスローラ１８２に当接させる際の、設定角及び当接圧についての検討結果について、図８及び図９を用いて説明する。発明者らは、次のような試行を繰り返してスクレーパ１８５の設定角及び当接圧の設定可能範囲（ラチチュード）を調べた。まず、クリーニングブレード１８３の設定角αを所定の角度に設定すると共に、当接圧の総圧が所定の値となるようにクリーニングブレード１８３の侵入量を設定した画像形成装置を用意した。次に、この画像形成装置に８０００枚（１６０００イメージ）の１００％デューティ（ベタ塗り）の両面画像を連続的に形成させて用紙に出力させた。そして、画像出力が完了した際に、クリーニングブレード１８３及びスクレーパ１８５をすり抜けてバイアスローラ１８２の表面に留まったトナーの有無を確認した。このようなトナーは、典型的にはバイアスローラ１８２の周方向に延びる帯状の付着物として観察される。
【００５５】
図８の散布図における各ドットは、上述した試行においてクリーニング性能が良好であった場合の条件（設定角及び総圧）を示している。設定角αについては、３０度以上６０度以下の範囲（領域ＮＧ１を除いた部分）でクリーニング性能が概ね良好となることを確認した。設定角がこの範囲より大きい場合（α＞６０°）、スクレーパ１８５のエッジ部１８５ａがバイアスローラ１８２に引きずられるなどして、バイアスローラ１８２に対する当接状態が安定しなかった。また、設定角がこの範囲より小さい場合（α＜３０°）、当接面積が広がってピーク圧が低下してしまい、フィルミング物質の除去が不十分となった。
【００５６】
また、総圧については、１５００ｇｆ以上４０００ｇｆ以下（１５Ｎ〜４０Ｎ）の範囲（領域ＮＧ２を除いた部分）でクリーニング性能が良好となることを確認した。総圧を４０００ｇｆより大きく設定する場合、侵入量が大きくなり、スクレーパ１８５がエッジ部１８５ａよりも根本側でバイアスローラ１８２に面接触する（面当たりする）状態となり、フィルミング物質の掻き取り能力が低下してしまう。上述したＰＥＴシートを用いたスクレーパ１８５の場合、侵入量を４ｍｍ以上に設定した場合にこのような面接触状態となった。また、総圧を１５００ｇｆ未満に設定した場合、当接圧が低下することでピーク圧も低下してしまい、フィルミング物質の掻き取り能力が低下してしまう。以上の検討結果を考慮して、上述した実施例においては設定角α及び侵入量をそれぞれ４７°，２．１ｍｍの値に設定している。
【００５７】
次に、スクレーパ１８５として用いるＰＥＴシートの厚みについての検討結果を説明する。図９は、厚みの異なるＰＥＴシート（３００，５００，７００［μｍ］）について、設定角α＝４７°の下でバイアスローラ１８２等の剛性を有する部材に当接させた場合の、侵入量と当接圧（総圧）との関係を示している。図９に示すように、ＰＥＴシートの厚みによらず、侵入量を０．５ｍｍ〜２．１ｍｍの範囲で増大させるにつれて、総圧も比例的に増大した。スクレーパ１８５として上述した実施例よりも薄い（３００μｍ）ＰＥＴシートを用いる場合、侵入量を０．５ｍｍないし２．１ｍｍの範囲で変化させても、総圧５００ｇｆを超えることがなかった。また、スクレーパ１８５として上述したものよりも厚い（７００μｍ）ＰＥＴシートを用いる場合、侵入量１．８ｍｍを超えると総圧４０００ｇｆを超えてしまった。従って、スクレーパ１８５として用いる材料の厚みに対応して、当接圧が上述した範囲（エッジ部１８５ａの幅１０ｍｍ当たり０．４４Ｎ以上１．１７Ｎ以下）に収まるように侵入量を適宜設定することが好ましい。
【００５８】
［クリーニング装置の幅方向の位置関係］
次に、クリーニング装置１８の幅方向（長手方向）の長さの関係について、図１０及び図１１に基づいて説明する。上述したように互いに平行に配置されたファーブラシ１８１、バイアスローラ１８２、クリーニングブレード１８３、及びスクレーパ１８５は、幅方向の中心位置を揃えるように配置されている。図１０及び図１１は、これら中心位置を揃えた状態における幅方向の一端側の位置関係を示しており、幅方向の他端側においても左右を反転させて同様の位置関係となっている。
【００５９】
比較例のクリーニング装置１８Ａにおいて、図１０に示すように、クリーニングブレード１８３はファーブラシ１８１よりも長く、バイアスローラ１８２はクリーニングブレード１８３よりも長く設定されている。ただし、ファーブラシ１８１の長さとは、芯部１８１ａに対してブラシ繊維１８１ｂが植設された部分の長さである。また、二次転写ベルト１７６はバイアスローラ１８２よりも長く設定されている。
【００６０】
なお、ファーブラシ１８１の長さは、現像装置４における現像コート幅よりも広く設定されている。ただし、現像コート幅とは、現像スリーブに担持され得るトナー像の最大幅である。例えば、現像装置４の現像スリーブの表面にブラスト加工などにより凹凸を形成した領域を現像剤のコート領域とし、このコート領域の幅（現像スリーブの回転軸方向の長さ）を現像コート幅とする。したがって、ファーブラシ１８１は、感光ドラム１から中間転写ベルト７を介して二次転写ベルト１７６に受け渡され得るトナー像の全幅をカバーし得る幅に設定されている。
【００６１】
ところで、バイアスローラ１８２の幅方向の両端部にクリーニングブレード１８３のエッジ部１８３ａが当接した状態にある場合、摩擦によってエッジ部１８３ａの挙動が不安定となる。この場合、クリーニングブレード１８３のびびり、めくれ、及び鳴きといった問題が発生しやすい。そこで、上述した通りクリーニングブレード１８３をバイアスローラ１８２よりも短く設定し、バイアスローラ１８２の端部Ａ１（点線部分）にはエッジ部１８３ａが当接しないように構成されている。
【００６２】
このクリーニング装置１８Ａにおいて、クリーニングブレード１８３がファーブラシ１８１よりも長く設定されるため、ファーブラシ１８１からバイアスローラ１８２に回収されたトナーの大部分は、クリーニングブレード１８３によって掻き落とされる。しかしながら、装置を長時間稼働させた場合に、バイアスローラ１８２の端部Ａ１にトナーを主成分とする首輪状（リング状）の付着物が形成されることがあった。これは、ファーブラシ１８１とバイアスローラ１８２の接触においてブラシ繊維１８１ｂのフリッキング等によってトナーが飛散し、バイアス電圧を印加されたバイアスローラ１８２の端部Ａ１に静電吸着されることが原因の一つである。また、ケース１９２の内部に浮遊する塵埃が、端部Ａ１に静電吸着されることが他の原因の一つである。
【００６３】
端部Ａ１にはクリーニングブレード１８３が当接しないため、このようなカラー状の付着物は除去されずにバイアスローラ１８２の表面に留まり、画像形成を繰り返すことで徐々に成長する。そして、付着物の層が二次転写ベルト１７６の対応する領域Ａ２（点線部分）に到達すると、二次転写ベルト１７６を汚染して二次転写部Ｔ２における画像不良の原因となり得る。二次転写ベルト１７６に付着した付着物の一部は、シール部材１９２ａによってせき止められるが、付着物が増加するとシール部材１９２ａからあふれ出してしまう。
【００６４】
そこで、図１１に示すように、本実施形態に係るスクレーパ１８５は、バイアスローラ１８２以上（回収ローラ以上）の長さに設定され、かつ、バイアスローラ１８２の全長に亘ってエッジ部１８５ａが当接するように設けられている。スクレーパ１８５以外の大小関係は上述したクリーニング装置１８Ａと同様である。すなわち、クリーニングブレード１８３はファーブラシ１８１よりも長く、バイアスローラ１８２はクリーニングブレード１８３よりも長く設定されている。また、二次転写ベルト１７６はバイアスローラ１８２よりも長く、ファーブラシ１８１は現像コート幅よりも長く設定されている。
【００６５】
本実施形態に係る実施例においては、このような大小関係を満たすように、幅方向（バイアスローラ１８２の軸方向）の中央から端部までの長さが図１１に示す値に設定されている。すなわち、ファーブラシ１８１が１６６．５ｍｍ、バイアスローラ１８２が１７０．５ｍｍ、クリーニングブレード１８３が１６８ｍｍ、スクレーパ１８５が１７１ｍｍである。なお、各部材の長さはこれらをそれぞれ２倍した値となる。
【００６６】
［クリーニング装置による二次転写ベルトの清掃］
上述したように構成される画像形成装置１００は、記録材Ｐに画像を形成して出力すると共に、二次転写ベルト１７６に付着するトナー及びフィルミング物質をクリーニング装置１８によって除去する。以下、トナー及びフィルミング物質を除去する主な過程について、制御用パッチを形成した場合を例にそれぞれ説明する。なお、制御用パッチ以外でも二次転写ベルト１７６にトナーが付着するような場合も同様である。二次転写ベルト１７６に付着するトナーの一部を占める制御用パッチは、二次転写部Ｔ２において中間転写ベルト７から二次転写ベルト１７６に転写される（図２参照）。この制御用パッチは、二次転写ベルト１７６の回転に伴って二次転写ユニット１７の下面側に移動する。
【００６７】
制御用パッチのトナー粒子は、正極性のバイアス電圧を印加されたファーブラシ１８１に吸着された後、ファーブラシ１８１よりも高圧のバイアス電圧を印加されたバイアスローラ１８２によって回収される。バイアスローラ１８２の回転に伴ってクリーニングブレード１８３とバイアスローラ１８２との当接部に到達したトナー粒子は、クリーニングブレード１８３のエッジ部１８３ａにせき止められる。そして、次々にエッジ部１８３ａに衝突して堆積したトナー粒子がエッジ部１８３ａから脱落することで、バイアスローラ１８２からトナーが掻き取られて落下する。
【００６８】
二次転写ベルト１７６に付着したワックス等のフィルミング物質は、クリーニングブレード１８３によるトナーの除去に並行して除去される。二次転写ベルト１７６の表面に付着したフィルミング物質は、ファーブラシ１８１の静電吸着力及びフィルミング物質自身の粘着力等によってファーブラシ１８１に付着する。ファーブラシ１８１に付着したフィルミング物質の一部は、ファーブラシ１８１とバイアスローラ１８２との接触部においてバイアスローラ１８２に移動する。フィルミング物質の一部はトナーと共にクリーニングブレード１８３によって掻き取られ、クリーニングブレード１８３をすり抜けたフィルミング物質はバイアスローラ１８２とスクレーパ１８５との当接部へ向けて搬送される。そして、フィルミング物質は、クリーニングブレード１８３よりもピーク圧が高くなるように設定されたスクレーパ１８５のエッジ部１８５ａによって掻き取られて落下する。
【００６９】
ところで、バイアスローラ１８２の両端部（図１１における端部Ａ１）には、ファーブラシ１８１のフリッキング等によって微量のトナーが付着する。このトナーは、クリーニングブレード１８３の幅方向の両外側を通過した後、スクレーパ１８５によって掻き取られて落下する。クリーニングブレード１８３及びスクレーパ１８５から落下したトナー及びフィルミング物質を含む廃棄物は、搬送スクリュ１８８によって搬送され、廃トナー容器に排出される。
【００７０】
本実施形態に係る画像形成装置は、上述したように、二次転写ベルト１７６に付着する付着物の内、トナーを主にクリーニングブレード１８３によって除去させると共に、フィルミング物質を主にスクレーパ１８５によって除去させている。そして、スクレーパ１８５にクリーニングブレード１８３よりも弾性係数が大きい材料を用いることで、スクレーパ１８５がフィルミング物質を効果的に除去し得るように構成されている。また、スクレーパ１８５を剛性の高いバイアスローラ１８２に当接させているため、例えばスクレーパを二次転写ベルトに当接させる構成に比して当接圧を容易に高めることができ、フィルミング物質の除去に適した当接圧に設定することができる。そして、バイアスローラ１８２にフィルミング物質が蓄積してクリーニング装置１８のトナー除去能力が低下することを防ぐことができる。すなわち、本画像形成装置１００はフィルミング物質を効果的に除去させて長期間に亘って安定的に稼働させことができる。
【００７１】
また、スクレーパ１８５及びクリーニングブレード１８３の材質、設定角、侵入量等は、スクレーパ１８５とバイアスローラ１８２との当接部におけるピーク圧がクリーニングブレード１８３に比して大きくなるように設定されている。このような設定とすることで、クリーニング装置１８は二次転写ベルト１７６に付着したフィルミング物質をより効果的に除去することができる。
【００７２】
また、クリーニングブレード１８３をバイアスローラ１８２よりも短く設定する一方で、スクレーパ１８５がバイアスローラ１８２の全長に亘って当接するように構成している。これにより、クリーニングブレード１８３のびびりやめくれ等の問題を回避しつつ、バイアスローラ１８２の端部における首輪状のトナー付着を防いで、二次転写ベルト１７６の汚染を防ぐことができる。
【００７３】
なお、本発明は、本実施形態において二次転写ベルト１７６を清掃するクリーニング装置１８を備えた画像形成装置として適用したが、クリーニング手段を他の被クリーニング部材に対して設けてもよい。例えば、被クリーニング部材としての中間転写ベルトを清掃するクリーニング手段を設け、本実施形態に係るクリーニング装置１８と同様に構成してもよい。
【符号の説明】
【００７４】
７…像担持体（中間転写ベルト）／１５ｃ…加熱手段／１９…反転搬送部（反転搬送ユニット）／５０…制御手段（制御装置）１７６…転写搬送ベルト（二次転写ベルト）／１８１…ブラシローラ（ファーブラシ）／１８１ａ…芯部／１８１ｂ…ブラシ繊維／１８２…回収ローラ（バイアスローラ）／１８３…第１の掻き取り部材（クリーニングブレード）／１８３ａ…エッジ部／１８５…第２の掻き取り部材（スクレーパ）／１８５ａ…エッジ部／１９２…ケース部材（ケース）／１９２ａ…シール部材／Ｐ…記録材／Ｔ２…転写部（二次転写部）／α，β…傾斜角度（設定角）
【図１】
0006594067.tif 000002
【図２】
0006594067.tif 000003
【図３】
0006594067.tif 000004
【図４】
0006594067.tif 000005
【図５】
0006594067.tif 000006
【図６】
0006594067.tif 000007
【図７】
0006594067.tif 000008
【図８】
0006594067.tif 000009
【図９】
0006594067.tif 000010
【図１０】
0006594067.tif 000011
【図１１】
0006594067.tif 000012